(57)【特許請求の範囲】
【請求項１】
Ｍ個の入力およびＮ個の出力を有し、前記Ｍ個の入力のうち任意の1つから入力された光信号を前記Ｎ個の出力のうち任意の1つへ出力することができる第１の光信号切替手段と、
Ｎ'個の入力およびＭ'個の出力を有し、前記Ｎ'個の入力のうち任意の1つから入力された光信号を前記Ｍ'個の出力のうち任意の1つへ出力することができる第２の光信号切替手段と、
少なくとも1つの光信号中継手段とを備え、
前記光信号中継手段の入力は前記第１の光信号切替手段の前記Ｎ個の出力の一部に接続され、
前記光信号中継手段の出力は前記第２の光信号切替手段の前記Ｎ'個の入力の一部に接続されることを特徴とする光クロスコネクト装置。
【請求項２】
請求項１に記載の光クロスコネクト装置であって、
ＮおよびＮ'の値は1以上であり、
ＭおよびＭ'の値は２以上であることを特徴とする光クロスコネクト装置。
【請求項３】
請求項１に記載の光クロスコネクト装置であって、
ＮおよびＮ'の値は2以上であり、
ＭおよびＭ'の値は１以上であることを特徴とする光クロスコネクト装置。
【請求項４】
請求項１に記載の光クロスコネクト装置であって、
前記光信号中継手段は、光増幅器または再生中継器であることを特徴とする光クロスコネクト装置。
【請求項５】
光伝送路からの光信号を受信する複数の光信号入力部と、
光伝送路へ光信号を送信する複数の光信号出力部と、
入力された光信号に所定の処理を施して出力する第1の光信号中継手段と、
それぞれが前記複数の光信号入力部のうちの1つから光信号を入力される複数の第１の入力と、前記第１の光信号中継手段からの光信号が入力される第２の入力と、それぞれが前記複数の光信号出力部のうちの1つへ光信号を出力する複数の第１の出力と、前記第1の光信号中継手段へ光信号を出力する第２の出力とを有し、前記第１の入力を前記複数の第１の出力のいずれか任意の１つまたは前記第２の出力と接続することができ、前記第２の入力を前記複数の第１の出力のいずれか任意の１つと接続することができる光信号切替手段とを有することを特徴とする光クロスコネクト装置。
【請求項６】
請求項５に記載の光クロスコネクト装置において、
第２の光信号中継手段を有し、
前記光信号切替手段はさらに、前記第２の光信号中継手段からの光信号が入力される第３の入力と、前記第２の光信号中継手段へ光信号を出力する第３の出力とを有し、前記第１の入力を前記複数の第１の出力のいずれか任意の１つまたは前記第２の出力または前記第３の出力と接続することができ、前記第２の入力および前記第３の入力をそれぞれ前記複数の第１の出力のいずれか任意の１つと接続することができることを特徴とする光クロスコネクト装置。
【請求項７】
請求項６に記載の光クロスコネクト装置において、
前記第1の光信号中継手段が故障した場合に前記光信号切替装置に対し、前記第２の出力と接続される前記第１の入力を前記第３の出力と接続し、前記第２の入力と接続される前記第１の出力を前記第３の入力と接続するよう指示する制御部を有することを特徴とする光クロスコネクト装置。
【請求項８】
請求項７に記載の光クロスコネクト装置であって、
前記光信号中継手段は、光増幅器または再生中継器であることを特徴とする光クロスコネクト装置。
【発明の詳細な説明】
【０００１】
【発明の属する技術分野】
本発明は光伝送路の切替を行う光クロスコネクト装置および光ネットワークに関し、特に光ネットワーク復旧を経済的に実現可能な光クロスコネクト装置および光ネットワークに関する。
【０００２】
【従来の技術】
近年、インターネットやＣＡＴＶ等に代表される所謂マルチメディアを社会に広く浸透させるための情報インフラストラクチャの整備が進められている。こうした高度情報化社会構築ためには１ユーザー当たりの情報伝送量を現在より飛躍的に増加させる必要がある。このため長距離・大容量伝送を行なう公衆通信網幹線系には広帯域・低損失伝送可能な光ファイバネットワークが導入されている。この幹線系光ファイバネットワークでは１ファイバ当たり毎秒１０Ｇｂｉｔに達するデータが伝送されることもある。従って伝送路障害が社会に与える影響は甚大であり、伝送路障害時にもネットワークサービスの品質を維持することが重要である。
【０００３】
伝送路障害に対するネットワークの信頼性や伝送路の効率的利用および保守運用性の向上を可能とするものとして、光クロスコネクト装置の研究開発が活発化している。光クロスコネクト装置は、光ファイバネットワークの１ノード内において、光送受信器と伝送路である光ファイバとの間に設置され、光送受信器の入出力光信号が接続される光伝送路の切替を行う。この機能により、例えばある現用光ファイバに障害が発生した場合、その現用光ファイバの両端に設置された２個の光クロスコネクト装置は光送受信器の接続先を予備用光ファイバへ切替えることにより、伝送路障害を復旧することが可能である。
【０００４】
一方、実際の光ネットワークでは、全てのノード間で予備用光ファイバが十分に敷設されているとは限らない。このため、伝送路障害復旧に際しては、障害が発生した光ファイバの両端のノードと第３のノードとの間に敷設された予備用光ファイバを用い、障害の発生していないルートに光信号を迂回させて復旧することが必要となる。この迂回に伴う伝送距離の長尺化および第３のノードの光クロスコネクト装置自体の損失を補償するため、光クロスコネクト装置には光信号中継機能が要求される。この機能は、光クロスコネクト装置が光増幅器や再生中継器等の光信号中継器を内蔵することにより実現される。
【０００５】
図７に従来の光クロスコネクト装置の１例を示す。図７において光クロスコネクト装置は、光信号入力部と、光信号中継部と、光スイッチ回路と、光信号出力部とから構成されている。本装置を、光送受信器と伝送路と間に設置した場合、光スイッチ回路は、入力された複数の光伝送信号を任意の光信号出力部へ出力できる。これによって、光スイッチ回路を適当に制御することにより光送受信器の接続先を現用光ファイバと予備用光ファイバへ切替えることが可能である。また装置に信号入力する各光ファイバに対してそれぞれ光信号中継器が接続されるので、光信号中継機能も備えている。
【０００６】
このような構成の光クロスコネクト装置として、例えば、１９９６年電子情報通信学会通信ソサイエティ大会、講演論文集、Ｂ−１０７０、５５５頁に記載のものが知られている。また１９９６年電子情報通信学会通信ソサイエティ大会、講演論文集、Ｂ−１０８３、５６８頁には、光信号中継機能を持たない光クロスコネクト装置が記載されている。
【０００７】
【発明が解決しようとする課題】
上述の従来の光クロスコネクト装置では、それぞれの予備用光ファイバに対して光信号中継器が光コネクタ等を介して固定的に接続される。しかしながら、ある光クロスコネクト装置へ接続された予備用光ファイバは通常複数のノードとの間に敷設されているので、中継ノードにある光クロスコネクト装置が予備用光ファイバを全数同時に使用することは極めて稀である。従って、高価な光信号中継器を、予備用光ファイバと固定的に接続する従来の光クロスコネクト装置は、非効率的であり、経済的ネットワーク構築の障害となり得るという問題があった。また従来の光クロスコネクト装置では、予備用光ファイバと光信号中継器が固定的に接続されるので、光信号中継器の故障時には、故障した光信号中継器と接続された予備用光ファイバを健全な光信号中継器と接続された予備用光ファイバに切り替える必要があった。さらに通常光信号中継器は、中継可能な光信号の方向が一定であるため、予備用光ファイバの効率的利用の妨げとなる可能性があった。
【０００８】
本発明の目的は、上記課題に鑑み、予備用光ファイバや光信号中継器を効率的に利用可能な光クロスコネクト装置を提供することと、伝送路障害に対して経済的な障害復旧可能な光ネットワークを提供することにある。
【０００９】
【課題を解決するための手段】
本発明は、予備用光ファイバと光信号中継手段が柔軟に接続される様、光入力部と光信号中継手段の入力とが光信号切り替え手段で接続されているとともに、前記光信号中継手段の出力と光出力部とが光信号切り替え手段で接続されている光クロスコネクト装置とするものである。
【００１０】
本発明によれば、光信号中継器を備えた光クロスコネクト装置が予備用光ファイバを相互接続する際、光信号中継器と接続される予備用光ファイバを選択可能な光信号切替手段を有するので、予備用光ファイバ毎に光信号中継器を用意する必要がなくなり、光クロスコネクトの低コスト化が実現される。
【００１１】
また予備用光ファイバと接続される光信号中継器を選択可能な光信号切替手段を有するので光信号中継器に故障が発生した場合でも直ちに正常な光信号中継器への切替が可能なので信頼性の高い光クロスコネクト装置が実現される。
【００１２】
また本発明による光ネットワークによれば、光伝送路切替手段として本発明による光クロスコネクト装置を用いることにより、ネットワーク全体で光信号中継器数を低減可能で、且つ光信号中継器の故障に対する速やかな復旧が可能となり、さらに予備用光ファイバの効率的利用が可能となるので、高信頼で且つ経済的な光ネットワークが実現される。
【００１３】
【発明の実施の形態】
以下、図面を参照して本発明の実施の形態を説明する。
図１は、本発明による光クロスコネクト装置の第１の実施例である。図１において光クロスコネクト装置１Ａは、光スイッチ回路１０-1、１０―２と、光信号入出力部１２―１および１２―２と少なくとも１つの光増幅器１１からなる。光スイッチ回路１０―１の入力は光入出力部１２―１と接続され、光スイッチ回路１０―１の出力は、光スイッチ回路１０―２の入力または、光増幅器１１の入力と接続され、光増幅器１１の出力は、光スイッチ回路１０―１の出力と接続されていない光スイッチ回路１０―２の入力と接続され、光スイッチ回路１０―２の出力は、光入出力部１２―２と接続されている。
【００１４】
本発明によれば、光入力信号を任意の光入出力部から出力することが可能で、且つ入力される光信号のうち、必要な信号のみを選択して増幅することが可能である。また光増幅器の故障の場合に、使用する予備用光ファイバを変えずに光信号を中継することが可能である。従って、不要な光増幅器を省くことによる低コスト化および予備用光ファイバの利用効率の向上が実現される。
【００１５】
図２は、本発明による光クロスコネクト装置の第２の実施例である。図２において光クロスコネクト装置１Ｂは、光送信器と接続される光入力部Ｔｓ１〜Ｔｓｎと、光受信器と接続される光出力部Ｔｊ１〜Ｔｊｎと、現用光ファイバと接続される光出力部Ｗｓ１〜Ｗｓｎおよび光入力部Ｗｊ１〜Ｗｊｎと、予備用光ファイバと接続される光出力部Ｒｓ１〜Ｒｓｎmおよび光入力部Ｒｊ１〜Ｒｊｎmと、ｎ入力２ｎ出力の光スイッチ回路１０―１と、２ｎ入力ｎ出力の光スイッチ回路１０―２と、ｍ入力ｎ出力の光スイッチ回路１０―３と、ｍ入力２ｍ出力の光スイッチ回路１０―４と、ｎ入力ｍ出力の光スイッチ回路１０―５と、２ｍ入力ｍ出力の光スイッチ回路１０―６と、ｍ入力ｋ出力の光スイッチ回路１０―７と、ｋ入力ｍ出力の光スイッチ回路１０―８と、ｋ個の光増幅器１１と、光クロスコネクト装置内外の監視および制御を行なう監視制御部１４からなる。
【００１６】
まず、光クロスコネクト装置１Ｂの基本的動作について説明する。通常、光スイッチ回路１０―１は、光入力部Ｔｓ１〜Ｔｓｎより入力された光送信器からのｎ個の光信号を、それぞれ光出力部Ｗｓ１〜Ｗｓｎに接続する。これに対し、監視制御部１４が例えば光出力部Ｗｓ１と接続された光ファイバの障害を検出すると、光スイッチ回路１０―１は、監視制御部１４からの制御信号によりＴｓ１からの光信号を光スイッチ回路１０―５へ切替える。光スイッチ回路１０―６は、光スイッチ回路１０―５と１０―８のどちらか１つの出力を選択して、それぞれ光出力部Ｒｓ１〜Ｒｓｍへ接続する。光スイッチ回路１０―５および１０―６は、監視制御部１４からの制御信号により光スイッチ回路１０―１からの光信号を健全性が確認されている光ファイバと接続された光出力部Ｒｓｍへ出力する。
【００１７】
次に、光クロスコネクト装置１Ｂが障害復旧用の迂回ルート上にあり、復旧用の迂回ルートとして光入力部Ｒｊ１と接続された光ファイバおよび光出力部Ｒｓｍと接続された光ファイバが選択された場合の光クロスコネクト装置１Ｂの動作について説明する。光スイッチ回路１０―４は、光入力部Ｒｊ１からの光信号を光スイッチ回路１０―７へ出力する。光スイッチ回路１０―７は、ｋ個の光増幅器１１のうち、正常であることが確認されている接続可能な光増幅器へ光信号を入力する。所定のパワに増幅された光信号は光スイッチ回路１０―８および１０―６により光出力部Ｒｓｍから出力される。
【００１８】
ここで光増幅器が光スイッチ回路１０―７および１０―８等を介して予備用光ファイバと接続されているため、光増幅器の個数ｋは、光クロスコネクト装置１Ｂの光入力部Ｒｊ１〜Ｒｊｍの個数もしくは光入力部Ｒｊ１〜Ｒｊｍと接続される予備用光ファイバの個数と等しい必要が無い。したがって、光ネットワーク全体のコストおよび信頼性を考慮した、よりフレキシブルな光クロスコネクト装置の設計が可能となる。
【００１９】
図３は、本発明による光クロスコネクト装置の第３の実施例である。本実施例では、第２の実施例を示す図２において、光スイッチ回路１０―１〜１０―８を１つの光スイッチマトリクス１０に置き換えたものである。本実施例によれば、光入出力部１２―１と光入出力部１２―２をさらにフレキシブルに接続可能となる。
【００２０】
次に、本発明の第４の実施例として、１本のファイバで双方向伝送を行なう光ネットワークに適用可能な光クロスコネクト装置の構成例を図４に示す。図４において光クロスコネクト装置１Ｄは、光入出力部Ｔ１〜Ｔ１０およびＷ１〜Ｗ１０、光スイッチ回路１０―ａ、光モニタ部１３―１を含む現用インタフェイス部１５と、光入出力部Ｒ１〜Ｒ５、光モニタ部１３―２を含む予備用インタフェイス部１６と、光スイッチ回路１０―ｂ〜ｆ、光増幅器１１を含む光スイッチ回路部１７と、監視制御部１４からなる。
【００２１】
光クロスコネクト装置１Ｄでは、監視制御部１４で光スイッチ回路１０―ａ〜１０―ｃを制御することにより、光入出力部Ｔ１〜Ｔ１０をそれぞれＷ１〜Ｗ１０へ接続するか、またはそれぞれ光入出力部Ｒ１〜Ｒ５のいずれかに接続することが可能である。また監視制御部１４で光スイッチ回路１０―ｃ〜１０―ｆを制御することにより、光入出力部Ｒ１〜Ｒ５をそれぞれ任意の組み合わせで相互接続することが可能である。この際、光スイッチ回路１０―ｄにより、光入出力部Ｒ１〜Ｒ５のいずれから光信号が入力された場合でも、常に光増幅器の入力側へ光信号を導ける。さらに光スイッチ回路１０―ｅ、１０―ｆにより、光増幅器１１の接続先となる光入出力部がＲ１〜Ｒ５のいずれであるかを任意に選択することが可能である。即ち、光入出力部Ｒ１〜Ｒ５に接続された５本の予備用光ファイバで２個の光増幅器を共有可能なので、光増幅器数を低減できる。
【００２２】
本実施例では、光クロスコネクト装置１の光入出力の数が計２５の場合を示したが、実際はネットワークの規模や敷設ファイバ数、要求される復旧率に従って決定されるすれば良い。また本実施例では、光増幅器数が２の場合を示したが、要求される経済性や復旧率に応じて、光増幅器数は任意に設定して良い。さらに光増幅器数を予備用インタフェイス部１６の光入出力数の１／２より多い数とすることにより、光入力と光出力の組に対して少なくとも一つの光増幅器を当てることによって、光スイッチ回路１０―ｅおよび１０―ｆに接続された光増幅器の故障による予備用光伝送路の障害にも速やかに対応可能となる。
【００２３】
また光信号中継が必要ない復旧ルートに対応するため、光スイッチ回路１０―ｅおよび１０―ｆと接続される光増幅器のうち幾つかを単に光ファイバに変えても良い。また本実施例で用いた光スイッチ回路１０−ｂ〜１０−ｆは、１４入力５出力の１個の光スイッチマトリクスでも良い。ここで、光クロスコネクト装置に接続される現用ファイバ総数をＷ、予備用ファイバ総数をＲ、装置が内蔵する光増幅器数をｋとすれば、光スイッチ回路１０−ｂ〜１０−ｆに置き換え可能な光スイッチ回路のサイズは、最低（Ｗ＋２ｋ）入力Ｒ出力であれば良い。
【００２４】
本発明の第５の実施例として、図４で示した現用インタフェイス部１５、光スイッチ回路部１７、予備用インタフェイス部１６の構成例を図５に示す。
現用インタフェイス部１５では、光入出力部Ｔ１〜Ｔ１０と光入出力部Ｗ１〜Ｗ１０との間にそれぞれ１×２光スイッチ回路が設置され、光入出力部Ｔ１〜Ｔ１０の接続先が光入出力部Ｗ１〜Ｗ１０か光入出力部Ｒ１〜Ｒ５であるかを切替える。光スイッチ回路部１７は、５×５光スイッチ回路１０―ｇと、１×４光スイッチ回路１０―ｈと、１×５スイッチ回路１０―ｅおよび１０―ｆと、光増幅器１１で構成され、全体として１０入力５出力の光スイッチ回路を構成している。
【００２５】
本実施例で光クロスコネクト装置１Ｅは、双方向伝送に対応可能な１５入力１５出力の光スイッチ回路として動作するが、光入出力部Ｔ１〜Ｔ１０と光入出力部Ｗ１〜Ｗ１０との間に、現用と予備用とを切替える光スイッチ回路として１×２光スイッチ回路１段のみを用いているため、ｎ×ｍ型の光スイッチマトリクスを用いる場合と比較して、現用光伝送路に対する光クロスコネクト装置の挿入損失を大幅に低減可能である。また例えば、光クロスコネクト装置と接続される現用光ファイバの方路数がＤ、１方路当たりの現用光ファイバ数がＡ、１方路当たりの予備用光ファイバ数がＲ、内蔵する光増幅器数がｋの場合には、光スイッチ回路１０−ｇをＡ個のＤ入力Ｄ出力の光スイッチとし、光スイッチ回路１０−ｈをＤ個の（Ａ＋２）入力Ｒ出力の光スイッチとし、光スイッチ回路１０−ｅおよび１０−ｆをそれぞれＤ入力ｋ出力の光スイッチとすれば良い。
【００２６】
以上説明した光クロスコネクト装置は、光ファイバという物理媒体の切替機能を有するものであるから、媒体中の光信号の種類、即ち伝送符号や変調方式や多重される波長数等に依らず上述の機能を実現できる。
また上述の実施例では、光信号中継器として光増幅器を用いる例を示したが、再生中継器であっても本発明の効果は同様である。
具体的な光スイッチ回路について、例えば図２の１０―１や１０―２、図４、図５の１０―ａ等は現用の伝送系に挿入されるものであるから、可能な限り低挿入損失のものが望ましい。そのような光スイッチ回路は、例えば１×２規模の光スイッチで挿入損失１ｄＢ以下を実現可能なファイバ可動型光スイッチ等である。
【００２７】
次に本発明による光クロスコネクト装置を用いた光ネットワークの実施例について図６を用いて説明する。図６（ａ）は、本発明による光クロスコネクト装置１―１〜１−３と、光送受信器２０―１〜２０−３と、現用光ファイバ３０と、予備用光ファイバ４０―１および４０―２とで構成される光ネットワークの第１の実施例である。
ここでは光ネットワークの伝送路障害復旧の基本動作を簡単に説明するため、各光クロスコネクト装置は、それぞれ１本の光ファイバ束で接続関係を表すことにする。２つの光送受信器２０―１と２０―３とは、それぞれ光クロスコネクト装置１―１と１―３とを介して現用光ファイバ３０で接続されている。またこれと同時に予備用光ファイバ４０―１と、光クロスコネクト装置１―２と、予備用光ファイバ４０―２とを介して接続されている。
【００２８】
光クロスコネクト装置１―１および１―３は、現用光ファイバ３０の障害発生を検出すると、その光ファイバを伝播していた光信号を、予備用光ファイバ４０―１および４０―２に切り替える。光クロスコネクト装置１―２では、予備用光ファイバ４０―１と４０―２とを相互接続することができる。
【００２９】
本発明によれば、光クロスコネクト装置１―１〜１―３に内蔵された光信号中継器は、予備用光ファイバと光スイッチ回路を介して接続されているので、予備用光ファイバに障害が発生し、さらに別の予備用光ファイバに切替える場合でも、予備用光ファイバ毎に光信号中継器を用意する必要がない。また光クロスコネクト装置に内蔵された光信号中継器に障害が発生した場合でも、健全性が確認されている別の光信号中継器へ速やかに切替可能なので、予備用光ファイバの効率的利用が可能となる。
【００３０】
なお、図示の簡単のため、光クロスコネクト装置１―１と光クロスコネクト装置１―３との間に張られた予備用光ファイバ、光クロスコネクト装置１―１と光クロスコネクト装置１―２との間に張られた現用光ファイバ、光クロスコネクト装置１―２光クロスコネクト装置１―３との間に張られた現用光ファイバが省略されているのは明らかであろう。
【００３１】
図６（ｂ）は、本発明による光クロスコネクト装置を用いた光ネットワークの第２の実施例である。ここで光ネットワークは４ノードでメッシュ状に構成されている。ここではまず、光送受信器２０―１から光送受信器２０―４への光信号を伝送する場合を考える。平常時は現用光ファイバ３０―１で伝送を行なう。光ファイバ３０―１で障害が発生すると、光クロスコネクト装置１―１では例えば予備用光ファイバ４０―１を、光クロスコネクト装置１―４では例えば予備用光ファイバ４０―２を選択して切替える。さらに光クロスコネクト装置１―２では予備用光ファイバ４０―１と４０―２を光信号中継器を介して相互接続する。この時の光信号の方向は予備用光ファイバ４０―１から４０―２である。
【００３２】
次に光送受信器２０―３から光送受信器２０―１への光信号を伝送する場合を考える。平常時は現用光ファイバ３０―２で伝送を行なうが、現用光ファイバ３０―２および予備用光ファイバ４０―３で障害が発生すると、光クロスコネクト装置１―３では例えば予備用光ファイバ４０―４を、光クロスコネクト装置１―４では例えば予備用光ファイバ４０―２を、光クロスコネクト装置１―２では例えば予備用光ファイバ４０―１を選択して切替える。この時光クロスコネクト装置１―２では予備用光ファイバ４０―１と４０―２を光信号中継器を介して相互接続するが、光信号の伝送方向は予備用光ファイバ４０―２から４０―１である。
【００３３】
従来装置では予備用光ファイバと光信号中継器が固定的に接続されるために、方向が異なる光信号を同一の予備用光ファイバにより中継することは非常に困難であった。本発明による光クロスコネクト装置１―１〜１−４を用いることにより、上記の如く復旧時の柔軟なルート設定および予備用光ファイバの効率的利用が実現される。
なお、図示の簡単のため、光クロスコネクト装置間に張られた予備用光ファイバ、現用光ファイバが適宜省略されているのは明らかであろう。
【００３４】
図６において光クロスコネクト装置１は、２本まはた３本の光ファイバにて相互接続されているが、本発明は、光クロスコネクト装置１が上記以外の光ファイバ本数であっても同様の効果がある。
【００３５】
【発明の効果】
以上述べたように本発明によれば、光信号中継機能を有する光クロスコネクト装置が予備用光伝送路を相互接続する際、光信号中継器と接続される予備用光ファイバを選択可能な光信号切替手段を有するので、予備用光伝送路毎に光信号中継器を用意する必要がなくなり、光クロスコネクト装置の低コスト化が実現され、高信頼且つ経済的な光ネットワークの構築に貢献できる。
【図面の簡単な説明】
【図１】本発明の光クロスコネクト装置の第１の実施例を示す構成図である。
【図２】本発明の光クロスコネクト装置の第２の実施例を示す構成図である。
【図３】本発明の光クロスコネクト装置の第３の実施例を示す構成図である。
【図４】本発明の光クロスコネクト装置の第４の実施例を示す構成図である。
【図５】本発明の光クロスコネクト装置の第５の実施例を示す構成図である。
【図６】本発明の光ネットワークの第１および第２の実施例を示す構成図である。
【図７】従来例１の構成図である。
【符号の説明】
１…光クロスコネクト装置、１０…光スイッチ回路、１１…光増幅器、１２…光入出力部、１３…光モニタ部、１４…監視制御部、１５…現用インタフェイス部、１６…予備用インタフェイス部、１７…光スイッチ回路部、２０…光送受信器、３０…現用光ファイバ、４０…予備用光ファイバ。
【図１】
0003716078.tif 000002
【図２】
0003716078.tif 000003
【図３】
0003716078.tif 000004
【図４】
0003716078.tif 000005
【図５】
0003716078.tif 000006
【図６】
0003716078.tif 000007
【図７】
0003716078.tif 000008